(57)【要約】【課題】ＦＷＡ端末のように使用場所の移動が可能な端末において、移動後の面倒な設定変更の必要なしに、安全に適切な設定変更を自動的に行うことができる無線通信端末、無線通信システム並びに動作制御プログラム及びそのプログラムを記録した記録媒体を提供する。【解決手段】無線通信端末１００は、位置送信部２００から送信される位置情報を検出する位置検出部１１０と、位置ごとの無線通信端末１００の設定があらかじめ記憶・蓄積されている設定データベース１３０と、位置検出部１１０により検出した位置情報に基づいて、設定データベース１３０から対応する設定情報を読み出し、設定情報に基づく処理を実行する設定実行部１４０と、位置検出部１１０から得られた位置により設定データベース１３０を参照し、適切な設定を設定実行部１４０に通知する位置処理部１２０と、設定実行部１４０に基づき実際の通信や通話処理を行う接続部１５０とを備える。【選択図】  図１
2004153404.tif 000002
【特許請求の範囲】
【請求項１】
位置情報を検出する位置検出手段と、
前記位置情報に対応する端末の設定情報をあらかじめ記憶する設定情報記憶手段と、
前記位置検出手段により検出した位置情報に基づいて、前記設定情報記憶手段から対応する設定情報を読み出し、該設定情報に基づく処理を実行する実行手段と
を備えることを特徴とする無線通信端末。
【請求項２】
さらに、機器を接続する接続手段を備え、
前記設定情報記憶手段は、前記接続手段により接続される機器の設定情報を記憶することを特徴とする請求項１記載の無線通信端末。
【請求項３】
前記実行手段は、前記接続手段により接続される機器に対応する設定情報に基づく処理を実行することを特徴とする請求項２記載の無線通信端末。
【請求項４】
さらに、前記設定情報記憶手段に記憶されている設定情報を変更する設定情報変更手段を備えることを特徴とする請求項１記載の無線通信端末。
【請求項５】
前記設定情報変更手段は、端末の位置が移動したとき、前記設定情報を自動的に変更することを特徴とする請求項４記載の無線通信端末。
【請求項６】
前記設定情報記憶手段に未登録の位置については、端末の利用を制限することを特徴とする請求項１、２又は４のいずれか一項に記載の無線通信端末。
【請求項７】
前記設定情報記憶手段は、端末の位置ごとの設定情報を蓄積する設定データベースであることを特徴とする請求項１、２、４又は６のいずれか一項に記載の無線通信端末。
【請求項８】
前記位置検出手段は、基地局ＩＤを用いて位置情報を検出する、ＧＰＳを利用して位置情報を検出する、又は、前記無線通信端末が利用される場所にあらかじめ設置された位置送信に特化した装置を用いて位置情報を検出する、若しくはこれらの組み合わせであることを特徴とする請求項１記載の無線通信端末。
【請求項９】
前記無線通信装置は、ＦＷＡ（Ｆｉｘｅｄ  Ｗｉｒｅｌｅｓｓ  Ａｃｃｅｓｓ）端末であることを特徴とする請求項１乃至８のいずれか一項に記載の無線通信端末。
【請求項１０】
ネットワークに接続される無線通信端末と、前記無線通信端末とネットワークを介して接続されるサービスサーバとを備える無線通信システムにおいて、
前記無線通信端末は、請求項１乃至９のいずれか一項に記載の無線通信端末であることを特徴とする無線通信システム。
【請求項１１】
位置情報を検出する位置検出手段と、前記位置情報に対応する端末の設定情報をあらかじめ記憶する設定情報記憶手段と、前記位置検出手段により検出した位置情報に基づいて、前記設定情報記憶手段から対応する設定情報を読み出し、該設定情報に基づく処理を実行する実行手段とを備える無線通信端末をコンピュータに実行させるためのプログラム。
【請求項１２】
位置情報を検出する位置検出手段と、前記位置情報に対応する端末の設定情報をあらかじめ記憶する設定情報記憶手段と、前記位置検出手段により検出した位置情報に基づいて、前記設定情報記憶手段から対応する設定情報を読み出し、該設定情報に基づく処理を実行する実行手段とを備える無線通信端末をコンピュータに実行させるためのプログラムを記録したことを特徴とするコンピュータ読み取り可能な記録媒体。
【発明の詳細な説明】
【０００１】
【発明の属する技術分野】
本発明は、ＦＷＡ（Ｆｉｘｅｄ  Ｗｉｒｅｌｅｓｓ  Ａｃｃｅｓｓ）端末のような、使用場所を移動することが可能な無線通信端末、無線通信システム並びに動作制御プログラム及びそのプログラムを記録した記録媒体に関する。
【０００２】
【従来の技術】
ＦＷＡ端末のように、使用場所を移動することが可能な無線通信端末を考える。端末を持ち運び、さまざまな場所で使用する場合、利用する場所に応じて設定を変更したいという要求が考えられる。例えば、通信端末を家族で共用する場合など、利用する部屋ごとで設定変更が可能ならば、若年者の有害ページの閲覧防止や、利用場所ごとでのセキュリティーポリシーの変更などに柔軟に対応することができる。しかし、使用場所に応じて適宜手動で設定変更するのは面倒であり、設定ミスを生じる可能性もある。
【０００３】
上述のような設定を簡単化するための無線通信端末装置に関し、以下のような従来例がある。
特許文献１によれば、移動携帯端末の現在位置に対応して、自動的に移動携帯端末の機能設定を変更することが可能な無線通信システムの技術が記載されている。この技術は、ネットワーク側で移動携帯端末の位置を検出し、データベースより得られる位置ごとにあらかじめ定められた使用制限情報を移動携帯端末に取らせることにより、自動的に設定変更を行うものである。
【０００４】
また、特許文献２によれば、動作設定を変更すべき場所・状況下において、適切に変更する携帯電話機及び携帯電話機の動作制御システムが記載されている。この技術は、ＧＰＳ（Ｇｌｏｂａｌ  Ｐｏｓｉｔｉｏｎｉｎｇ  Ｓｙｓｔｅｍ）を用いて携帯電話機の位置を検出し、この情報を管理センタに送信することにより、管理センタからその位置に適切な設定内容が携帯電話機に送信されるというものである。
【０００５】
また、特許文献３によれば、インターネット使用者が移動しても、使用者が設定を変更することなく自動的にインターネット接続ポイントの変更ができる携帯端末装置及びインターネット接続方法が記載されている。この技術は、ＧＰＳを用いて携帯端末の位置情報を検出し、この位置情報を用いて接続ポイントデータベースを参照することにより、現在位置に最も適したインターネット接続ポイントを取得するものである。
【０００６】
【特許文献１】
特開２００１−２５０７０号公報（図１）
【特許文献２】
特開２００１−１５９０６８号公報（図１）
【特許文献３】
特開２００１−２３２９５８号公報（図１）
【０００７】
【発明が解決しようとする課題】
しかしながら、このような従来の無線通信システムにあっては、以下のような問題点があった。
【０００８】
上記特許文献１記載の無線通信システムでは、端末の位置をネットワーク側で検出するため、ネットワークにおける付加が増大し、システムの不安定を招くおそれがある。また、使用制限などの情報は、ネットワークにあらかじめ登録されているものが適用されるため、個々人用にカスタマイズすることは困難であることが予測される。
【０００９】
また、上記特許文献２記載の携帯電話機及び携帯電話機の動作制御システムでは、検出した位置情報を管理センタに送信し、管理センタでの処理の後、適切な設定内容が携帯電話機に送信されるため、多くの携帯電話端末が存在するような状況を考えると、ネットワークトラフィックの増大など、システムの不安定を招くおそれがある。また、設定内容も管理センタであらかじめ登録されたものが適用されるため、個々人用にカスタマイズすることは困難であることが予測される。
【００１０】
また、上記特許文献３記載の携帯端末装置及びインターネット接続方法では、位置情報に基づいて接続ポイントデータベースを参照することにより、適切な接続ポイントを得るだけの制御のため、端末の盗難時など、他人に持ち出されて利用される場合のセキュリティーなどに対処することが困難であることが予測される。
【００１１】
本発明は、このような課題に鑑みてなされたものであって、ＦＷＡ端末のように使用場所の移動が可能な端末において、移動後の面倒な設定変更の必要なしに、安全に適切な設定変更を自動的に行うことができる無線通信端末、無線通信システム並びに動作制御プログラム及びそのプログラムを記録した記録媒体を提供することを目的としている。
【００１２】
【課題を解決するための手段】
本発明の無線通信システムは、位置情報を検出する位置検出手段と、前記位置情報に対応する端末の設定情報をあらかじめ記憶する設定情報記憶手段と、前記位置検出手段により検出した位置情報に基づいて、前記設定情報記憶手段から対応する設定情報を読み出し、該設定情報に基づく処理を実行する実行手段とを備えることを特徴としている。
さらに、機器を接続する接続手段を備え、前記設定情報記憶手段は、前記接続手段により接続される機器の設定情報を記憶することがより好ましい。
【００１３】
前記実行手段は、前記接続手段により接続される機器に対応する設定情報に基づく処理を実行するものであってもよい。
さらに、前記設定情報記憶手段に記憶されている設定情報を変更する設定情報変更手段を備えるものであってもよい。
【００１４】
前記設定情報変更手段は、端末の位置が移動したとき、前記設定情報を自動的に変更することがより好ましい。
また、前記設定情報記憶手段に未登録の位置については、端末の利用を制限するものであってもよい。
また、より好ましい具体的な態様として、前記設定情報記憶手段は、端末の位置ごとの設定情報を蓄積する設定データベースである。
【００１５】
また、より好ましい具体的な態様として、前記位置検出手段は、基地局ＩＤを用いて位置情報を検出する、ＧＰＳを利用して位置情報を検出する、又は、前記無線通信端末が利用される場所にあらかじめ設置された位置送信に特化した装置を用いて位置情報を検出する、若しくはこれらの組み合わせである。
前記無線通信装置は、ＦＷＡ（Ｆｉｘｅｄ  Ｗｉｒｅｌｅｓｓ  Ａｃｃｅｓｓ）端末であってもよい。
【００１６】
本発明の無線通信システムは、ネットワークに接続される無線通信端末と、前記無線通信端末とネットワークを介して接続されるサービスサーバとを備える無線通信システムにおいて、前記無線通信端末は、請求項１乃至９のいずれか一項に記載の無線通信端末であることを特徴としている。
【００１７】
また、本発明は、位置情報を検出する位置検出手段と、前記位置情報に対応する端末の設定情報をあらかじめ記憶する設定情報記憶手段と、前記位置検出手段により検出した位置情報に基づいて、前記設定情報記憶手段から対応する設定情報を読み出し、該設定情報に基づく処理を実行する実行手段とを備える無線通信端末をコンピュータに実行させるためのプログラムである。
【００１８】
さらに、本発明は、位置情報を検出する位置検出手段と、前記位置情報に対応する端末の設定情報をあらかじめ記憶する設定情報記憶手段と、前記位置検出手段により検出した位置情報に基づいて、前記設定情報記憶手段から対応する設定情報を読み出し、該設定情報に基づく処理を実行する実行手段とを備える無線通信端末をコンピュータに実行させるためのプログラムを記録したことを特徴とするコンピュータ読み取り可能な記録媒体である。
【００１９】
【発明の実施の形態】
以下、添付図面を参照しながら本発明の好適な無線通信端末及び無線通信システムの実施の形態について詳細に説明する。
【００２０】
図１は、本発明の実施の形態の無線通信システムの基本構成を示す図である。無線通信システムとして、無線通信端末とネットワークを介して接続されるサービスサーバとからなる無線通信システムに適用した例である。
【００２１】
図１において、１００は無線通信端末、２００は位置送信部（サービスサーバ）であり、無線通信端末１００は、位置送信部２００から送信される位置情報を検出する位置検出部１１０（位置検出手段）と、位置ごとの無線通信端末１００の設定があらかじめ記憶・蓄積されている設定データベース１３０（設定情報記憶手段）と、無線通信端末１００に与えられた設定を実行する設定実行部１４０（実行手段）と、位置検出部１１０から得られた位置により設定データベース１３０を参照し、適切な設定を設定実行部１４０に通知する位置処理部１２０（設定情報変更手段の一部）と、設定実行部１４０に基づき実際の通信や通話処理を行う接続部１５０（接続手段）とを備えて構成される。
【００２２】
無線通信端末１００は、ＦＷＡ（Ｆｉｘｅｄ  Ｗｉｒｅｌｅｓｓ  Ａｃｃｅｓｓ）端末のような、使用場所を移動することが可能な無線通信端末であり、例えば、携帯電話機／ＰＨＳ（Ｐｅｒｓｏｎａｌ  Ｈａｎｄｙ−Ｐｈｏｎｅ  Ｓｙｓｔｅｍ）や携帯情報端末（以下、ＰＤＡ（Ｐｅｒｓｏｎａｌ  Ｄｉｇｉｔａｌ  Ａｓｓｉｓｔａｎｔｓ）という）などの携帯端末、無線ＬＡＮ機能を持つ携帯ノート型パソコン、無線ＬＡＮ機能を持つ接続端末も含まれる。
【００２３】
位置送信部２００は、例えば基地局のサーバであり、複数の無線通信端末１００からの電波をアンテナを経由して送受信する。また、ネットワークを介して無線通信端末１００の現在位置情報を取得し、位置送信部２００に位置情報を送信する。
【００２４】
ネットワークは、移動体通信網、公衆電話網、ＬＡＮやインターネットなどから構成するネットワークであり、有線系又は無線系などネットワークの種類とプロトコルの種類は特に問わない。また、ネットワークのアクセス回線としてはＦＴＴＨ（Ｆｉｂｅｒ  Ｔｏ  Ｔｈｅ  Ｈｏｍｅ）、ＨＦＣ（Ｈｙｂｒｉｄ  Ｆｉｂｅｒ  Ｃｏａｘ：光同軸ケーブル）、及びＡＤＳＬ（Ａｓｙｍｍｅｔｒｉｃ  Ｄｉｇｉｔａｌ  Ｓｕｂｓｃｒｉｂｅｒ  Ｌｉｎｅ）／ＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）等の大容量回線が利用可能である。
【００２５】
図１では、１つの無線通信端末１００と位置送信部２００を図示しているが、任意の数の無線通信端末と基地局で構成することが可能であり、また、１つの基地局に任意の数の無線通信端末を備えるシステムを構成することも可能である。
【００２６】
位置検出部１１０は、相手端末及び、ネットワークを介して位置送信部２００と情報の送受信を行い、自端末の現在位置情報を取得する。あるいは、位置検出部１１０は、例えば位置情報の電波をＧＰＳ衛星等から受信するＧＰＳアンテナを備え、ＧＰＳアンテナを介して受信した情報より、現在位置情報を、緯度／経度の２つのパラメータとして算出するＧＰＳ機能により位置情報を取得する。なお、位置判定端末の位置判定機能は、ＧＰＳのほか、ＰＨＳ・携帯電話の基地局等ユーザ端末に対して現在位置情報を与え、相手端末と接近確認から位置を検出する方法でもよい。
【００２７】
位置処理部１２０は、位置検出部１１０から得られた位置により設定データベース１３０を参照し、適切な設定を設定実行部１４０に通知するとともに、端末の位置が移動したとき、設定データベース１３０に記憶されている設定情報を自動的に変更する。
【００２８】
設定データベース１３０は、位置情報に対応する端末の設定情報をあらかじめ記憶する設定情報記憶手段であり、ＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）等の不揮発性メモリやＨＤＤなどに構築され、インターネット接続設定データベース１３１、パソコン接続設定データベース１３２、電話接続設定データベース１３３から構成される。
【００２９】
設定実行部１４０は、位置処理部１２０と共にマイクロコンピュータなどで構成され、位置検出部１１０により検出した位置情報に基づいて、設定データベース１３０から対応する設定情報を読み出し、該設定情報に基づく処理を実行する。ここでは、設定実行部１４０は、インターネット接続設定実行部１４１、パソコン接続設定実行部１４２、電話接続設定実行部１４３を備える。
【００３０】
接続部１５０は、外部記録装置や各種機器を接続するためのインターフェイスであり、例えばインターネット１５１やパソコンと接続する場合のイーサネット（Ｅｔｈｅｒｎｅｔ）（登録商標）ポート１５２や、電話と接続するためのモジュラージャック１５３などである。
【００３１】
また、無線通信端末１００が、例えば携帯電話機等の携帯端末である場合には、図示は省略されているが、受信した情報の内容等を表示するＬＣＤディスプレイ及び各ドライバ等からなる表示部、データ入力や各種機能の指示を行うためのキーボード、専用のキーあるいはＧＵＩ（Ｇｒａｐｈｉｃａｌ  Ｕｓｅｒ  Ｉｎｔｅｒｆａｃｅ）ボタン及びスティック等のポインティングデバイス等で構成される入力部（設定情報変更手段の一部）、日時時刻を計時、あるいは、一定時間の経過を計測するための計時部を備えている。
【００３２】
また、無線通信端末１００が、例えば、ＡＤＳＬモデムのように高速・大容量通信が可能で、かつルータ機能及び無線ＬＡＮを備えた無線端末装置（単体の装置、携帯ノート型パソコン等への組み込み装置、又はＰＣＭＣＩＡカード，ＣＦカード形状の接続端末など、形態は限定されない）である場合には、前記接続部１５０は、インターネットやパソコン等と接続する場合の各種ポートや、電話接続機能（さらには、例えばＩＰ電話接続機能）を備える。
【００３３】
以下、上述のように構成された無線通信端末の動作を説明する。
本発明は、使用場所の移動が可能な端末において、移動後の面倒な設定変更の必要なしに、安全に適切な設定変更を自動的に行うことを可能とする技術である。
【００３４】
位置送信部２００は、移動可能な無線通信端末１００に対して、現在の位置情報を通知するためのものである。ＦＷＡ環境においては、この位置送信部２００及び位置送信部２００より送られる情報としては、無線アクセスポイントである基地局とこの基地局から送信される基地局ＩＤなどである。また、ＧＰＳが利用できるシステムならば、ＧＰＳ衛星とこれから通知される位置情報がある。位置送信部２００に特化した装置を考え、これを無線通信端末１００が利用される場所にあらかじめ設置しておき、この装置から装置ＩＤを送信するという利用形態も考えられる。また、位置情報として、上記で紹介した多様な種類の情報を複数組み合わせて利用する形態もある。
【００３５】
位置送信部２００より通知される位置情報は、無線通信端末１００の位置検出部１１０により受信され、位置処理部１２０に渡される。このとき、位置処理部１２０が受け取った位置情報が、前回受信時のものと同じならば、特別な処理は行われない。しかし、受け取った位置情報が前回受信時のものと異なる場合には、位置処理部１２０は無線通信端末１００が移動したと判断し、以降で説明する処理を行う。
【００３６】
位置情報を受け取った位置処理部１２０は、設定データベース１３０を参照し、無線通信端末１００にあらかじめ登録されている位置情報ごとの設定を呼び出す。設定データベース１３０に登録される設定情報は、利用するユーザがあらかじめ登録しておくものであり、無線通信端末１００を利用する各場所における接続部１５０の設定などが記述されている。図１では、“インターネット接続設定”や“パソコン接続設定”などを例として挙げた。
【００３７】
“インターネット接続設定”には、その位置において適用したいパケットフィルタリング（Ｐａｃｋｅｔ  Ｆｉｌｔｅｒｉｎｇ）やプロキシ、ファイアウォール（Ｆｉｒｅ  Ｗａｌｌ）情報などを登録する。また“パソコン接続設定”では、有害ページの閲覧を防止する閲覧可能（／不可能）ＵＲＬ（Ｕｎｉｆｏｒｍ  Ｒｅｓｏｕｒｃｅ  Ｌｏｃａｔｏｒ）やＤＮＳ（Ｄｏｍａｉｎ  Ｎａｍｅ  Ｓｙｓｔｅｍ）、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）設定などを登録する。また、無線通信端末１００の接続部１５０に電話接続機能などが搭載されている場合には、設定データベース１３０に電話着信音や短縮ダイヤル設定などを登録できる“電話接続設定”を持つことも考えられる。
【００３８】
設定データベース１３０から無線通信端末１００の設定を取得した位置処理部１２０は、現在の位置における設定データベースの内容を設定実行部１４０に渡す。設定実行部１４０では、設定データベース１３０に記述された設定を実行する各実行部（インターネット接続設定実行部１４１，パソコン接続設定実行部１４２，電話接続設定実行部１４３）が存在し、実際の通信や電話処理などを行う接続部１５０を制御して、目的の設定環境を実現する。
【００３９】
接続部１５０では、無線通信端末１００に接続されるそれぞれの装置ごとにインターフェイスを持っており、インターネットやパソコンと接続する場合のイーサネット（Ｅｔｈｅｒｎｅｔ）ポートや、電話と接続するためのモジュラージャックなどがこれに当たる。インターネットのブラウズ機能や電話機能が無線通信端末１００に組み込まれている場合には、この機能自体が接続部１５０となる。
【００４０】
この一連の作業を、図２を用いて具体例を挙げて説明する。
図２は、設定変更を自動化する無線通信端末の動作を示すフロー図である。
この例では、無線通信端末１００はルータ機能及び電話機能を持つＦＷＡ端末を想定し、位置送信部２００として無線アクセスポイントとなる基地局、位置情報として基地局ＩＤを用いるものとする。
【００４１】
無線通信端末１００であるＦＷＡ端末が移動し、新しい基地局との接続を行った場合を考える。このとき位置送信部２００である基地局は、ＦＷＡ端末に対し位置情報として基地局ＩＤ（符号Ａ参照、以下同様）を通知する。基地局ＩＤ（Ａ）を受け取ったＦＷＡ端末内の位置検出部１１０では、この基地局ＩＤ（Ａ）を位置処理部１２０に渡す。位置処理部１２０では、この基地局ＩＤ（Ａ）を基に設定データベース１３０を参照し、位置名に対応した設定情報（符号Ｂ参照、以下同様）を取得する。この設定情報に記述される内容としては、接続部１５０のルータ部に適用されるパケットフィルタリング設定や電話部に適用される電話帳などが考えられる。例えば、自宅で使用している本ＦＷＡ端末を会社のアクセスポイントに移動し、新しい基地局との接続を行った場合には、本ＦＷＡ端末は、この基地局ＩＤ（Ａ）を基に設定データベース１３０から位置名に対応した設定情報（Ｂ）を読み出し、会社に合わせたルータ設定や電話設定に自動的に変更する。これにより、その会社で使用するフィルタリングやプロキシ等に接続でき、また特定のＵＲＬやＤＮＳ、ＴＣＰ／ＩＰ設定が登録されていれば、このＵＲＬ等へのインターネット接続が可能になる。さらに、本ＦＷＡ端末が電話機能を備えている場合（ＩＰ電話機能を含む）には、電話設定も会社用に自動的に変更される。例えば、電話帳を個人用から会社用に切換える、また着信音を会社用に切換えることができる。
【００４２】
設定情報（Ｂ）を取得した位置処理部１２０は、この設定情報を設定実行部１４０に渡す。設定実行部１４０は、設定情報（Ｂ）に基づいて接続部１５０であるルータや電話１５３を制御する（符号Ｃ参照）。このとき、接続部１５０からは必要に応じてフィードバック情報（符号Ｄ参照）が存在することが考えられる。この処理により利用者があらかじめ登録した無線通信端末の設定が適用され、無線通信端末の移動に対して設定が自動的に変更されたことになる。
【００４３】
図２における設定データベース１３０において、データベース構造の一例を図３に示す。
図３は、設定変更を自動化する無線通信端末における設定データベースを示す機能ブロック図である。
【００４４】
設定データベース１３０は、ユーザが事前に設定を登録しておくものであり、利用する場所に応じた適切なデータベースを構築しておくものとする。この例では、位置情報として基地局ＩＤを用い、基地局ＩＤごとに位置名を対応付けて接続部１５０の設定を記述している。例えば、図３において、基地局ＩＤ「２６」「１３３」「２３６」…ごとに位置名「自宅」「会社」「学校」…を対応付けて接続部１５０の設定（ルータ設定［パケットフィルタリング１］等，電話設定［電話帳１］等）を記述している。また、インターネット・アドレスなどのその他の設定も可能である。さらに、インターネット接続業者が提供するインターネットアクセスポイントを位置名として登録することも可能である。
【００４５】
この例では、位置情報として基地局ＩＤを用い、基地局ＩＤごとに位置名を対応付けて接続部１５０の設定を記述しているが、位置情報は基地局ＩＤに限定するものではない。例えば、ＧＰＳの位置情報を利用するものや、位置送信に特化した装置を考え、これを無線通信端末１００が利用される場所にあらかじめ設置しておき、この装置から装置ＩＤを送信するという利用形態も考えられる。もちろん、位置情報として、上記で紹介した多様な種類の情報を複数組み合わせて利用する形態も考えられる。
【００４６】
ここで、無線通信端末１００が基地局ＩＤ“１３３”の無線アクセスポイントと接続した場合には、位置名として“会社”が参照され、この位置に対するルータ設定や電話設定を記述している。会社では、接続部１５０のルータ設定で、パケット・フィルタリング・ルータ型の強固なファイアウォールを設定し、自宅では、接続部１５０のルータ設定で、不正アクセスを防止するＭＡＣ（Ｍｅｄｉａ  Ａｃｃｅｓｓ  Ｃｏｎｔｒｏｌ）パケットフィルタリングや簡易ファイアウォールであるＩＰマスカレード（ＩＰ  Ｍａｓｑｕｅｒａｄｅ）機能を設定することも可能である。
【００４７】
図３の例では、ルータ設定内容として、パケットフィルタリングの適用方法を記述しており、電話設定内容としては、電話帳や着信音の種類を記述した。また、未登録地についてはルータ機能、電話機能ともに使用不可能となるような記述を行うことで、セキュリティー能力を高めるような設定も可能である。加えて、この無線通信端末１００がインターネット接続機能を有し、かつ自宅の部屋ごとに区別がつけられるような位置情報が取得できる場合には、設定データベースが閲覧可能／不可能なＵＲＬを登録できる構成にすることにより、子供部屋においては有害ページの閲覧を防止するような設定を構築することもできる。
【００４８】
上述のような処理を行うことにより、ＦＷＡ端末のような無線通信端末を移動した場合、ユーザにとって煩雑な手作業による場所ごとの設定変更をすることなしに、自動的にかつ的確に端末の設定変更を行うことができる。また、場所ごとに無線通信端末の設定が自動的に切り替わるため、セキュリティー面における高度な処理や利用場所ごとでの柔軟な設定変更効果が期待できる。加えて、無線通信端末の盗難時なども無断でネットワーク接続機能などを利用される心配なども軽減される。例えば、接続部１５０のルータ設定において、上記ＭＡＣパケットフィルタリングにより、自宅や会社、利用するアクセスポイントのみでアクセス可能になるように設定・登録しておけば、盗難にあっても持ち出した他人が再登録しない限り、その他の場所でのネットワーク接続等ができず、セキュリティーの向上を図ることができる。
【００４９】
以上のように、本実施の形態の無線通信端末１００は、位置送信部２００から送信される位置情報を検出する位置検出部１１０と、位置ごとの無線通信端末１００の設定があらかじめ記憶・蓄積されている設定データベース１３０と、位置検出部１１０により検出した位置情報に基づいて、設定データベース１３０から対応する設定情報を読み出し、設定情報に基づく処理を実行する設定実行部１４０と、位置検出部１１０から得られた位置により設定データベース１３０を参照し、適切な設定を設定実行部１４０に通知する位置処理部１２０と、設定実行部１４０に基づき実際の通信や通話処理を行う接続部１５０とを備えて構成したので、無線通信端末１００の移動時にも、自動的に移動先で適用したい適切な設定に変更することができる。この場合、端末の設定を無線通信端末１００自身が行うので、ネットワークにおける負荷やネットワークトラフィックの増大を防ぐことができ、システムの不安定を回避することができる。
【００５０】
また、設定データベース１３０は、ユーザが自由に変更することができるため、ユーザ要求に適した決め細やかな設定が可能となる。さらに、未登録地において無線通信端末の利用を不可とするように登録しておくことで、無線通信端末１００の盗難時や他人に貸し出したときのセキュリティー面においても柔軟に対応できる。位置情報として利用する情報も複数のものを組み合わせることにより、より効果的な自動設定変更が行えることが期待できる。また、設定データベース１３０も接続する機器ごとに定義することができるため、各機器の細やかな設定変更も容易に行える。
【００５１】
なお、本発明の無線通信端末及び無線通信システムは、上述の実施の形態に限定されるものではなく、本発明の要旨を逸脱しない範囲内において種々変更を加え得ることは勿論である。例えば、移動端末としてＦＷＡ端末等の移動端末としているが、移動端末に限らず情報機器機能を持った又はその融合された装置に適用可能である。また、データ送受信のできる装置として、パソコンに代表される情報機器機能に融合された装置であってもよく、全てのシステムに適用可能である。また、送受信データの内容はどのようなものであってもよい。
【００５２】
また、上記無線通信端末及び無線通信システムを構成する各処理部等の種類、設定情報の種類・形式などは前述した実施形態に限られない。
また、本実施の形態では無線通信端末及び無線通信システムという名称を用いたが、これは説明の便宜上であり、移動端末、通信端末装置等であってもよい。同様に、ネットワークサーバは、商用のコンテンツ情報を配信するサーバであってもよい。
【００５３】
さらに、上記サーバ、クライアントを構成するシステムの制御装置、記憶装置等の種類、データベースに記憶されるデータの種類などは前述した実施の形態に限られない。無線通信端末に用いられる移動通信方式は、ＴＤＭＡ方式、ＣＤＭＡ方式等どのような方式でもよく、位置情報取得機能は、ＧＰＳのほか、ＰＨＳ・携帯電話の基地局等ユーザ端末に対して現在位置情報を与え、相手端末と接近確認から位置を検出する方法でもよい。
【００５４】
以上説明した無線通信端末及び無線通信システムは、この無線通信端末及び無線通信システムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００５５】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００５６】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００５７】
【発明の効果】
以上、詳述したように、本発明によれば、ＦＷＡ端末のように使用場所の移動が可能な端末において、移動後の面倒な設定変更の必要なしに、安全に適切な設定変更を自動的に行うことができ、ユーザの利便性を向上させることができる。
【図面の簡単な説明】
【図１】本発明の実施の形態の無線通信システムの基本構成を示す図である。
【図２】本実施の形態の無線通信端末の動作を示すフロー図である。
【図３】本実施の形態の無線通信端末における設定データベースを示す機能ブロック図である。
【符号の説明】
１００  無線通信端末
１１０  位置検出部（位置検出手段）
１２０  位置処理部（設定情報変更手段の一部）
１３０  設定データベース（設定情報記憶手段）
１４０  設定実行部（実行手段）
１４１  インターネット接続設定実行部
１４２  パソコン接続設定実行部
１４３  電話接続設定実行部
１５０  接続部（接続手段）
１５１  インターネット
１５２  イーサネット（Ｅｔｈｅｒｎｅｔ）ポート
１５３  モジュラージャック
２００  位置送信部（サービスサーバ）
【図１】
2004153404.tif 000003
【図２】
2004153404.tif 000004
【図３】
2004153404.tif 000005